(57)【特許請求の範囲】
【請求項１】
複数のユニットからなり、操作表示部の入力操作により、各ユニット間で現金が移動する現金処理装置において、
前記ユニットに対応した複数のアイコンを前記操作表示部に表示し、前記複数のアイコンのいずれか一を指定する指定入力と、当該指定入力により指定されたアイコンから他のアイコンへドラッグを行なうドラッグ入力により、前記指定されたアイコンに対応するユニットから前記他のアイコンに対応するユニットへ前記現金の移動を制御する制御部を有することを特徴とする現金処理装置。
【請求項２】
前記制御部は更に、前記ドラッグ入力により、前記指定されたアイコンから前記他のアイコンへ向けて矢印を表示するように制御することを特徴とする請求項１記載の現金処理装置。
【請求項３】
複数のユニットからなり、操作表示部の入力操作により、各ユニット間で現金が移動する現金処理装置において、
前記ユニットに対応した複数のアイコンを前記操作表示部に表示し、前記複数のアイコンのいずれか一を指定する第１指定入力と、当該第１指定入力に続いて他のアイコンを指定する第２指定入力により、前記第１指定入力で指定された前記アイコンに対応するユニットから前記第２指定入力で指定された前記他のアイコンに対応するユニットへ前記現金の移動を制御する制御部を有することを特徴とする現金処理装置。
【請求項４】
前記制御部は更に、前記第１指定入力で指定された前記アイコンから前記第２指定入力で指定された前記他のアイコンへ向けて矢印を表示するように制御することを特徴とする請求項３記載の現金処理装置。
【請求項５】
前記制御部は更に、ユニット間を移動する前記現金のアイコンを表示するように制御することを特徴とする請求項２又は４記載の現金処理装置。
【請求項６】
前記制御部は更に、ユニット間を移動する前記現金の内容を表示するように制御することを特徴とする請求項５記載の現金処理装置。
【請求項７】
前記制御部は更に、ユニット間を移動する前記現金の内容の入力画面を表示するように制御することを特徴とする請求項５記載の現金処理装置。
【請求項８】
前記操作表示部はタッチパネル式入力装置であることを特徴とする請求項１乃至7いずれか一に記載の現金処理装置。
【請求項９】
複数のユニットからなり、操作表示部の入力操作により、各ユニット間で現金が移動する現金処理装置の操作表示方法において、
前記ユニットに対応した複数のアイコンを前記操作表示部に表示する工程と、
前記複数のアイコンのうち一つを指定する指定入力を受付ける工程と、
当該指定入力により指定されたアイコンから他のアイコンへドラッグを行なうドラッグ入力を受付ける工程と、
前記指定入力と前記ドラッグ入力により、前記指定されたアイコンに対応するユニットから前記他のアイコンに対応するユニットへ前記現金の移動を制御する工程を含むことを特徴とする現金処理装置の制御方法。
【請求項１０】
前記ドラッグ入力により、前記指定されたアイコンから前記他のアイコンへ向けて矢印を表示する工程を含むことを特徴とする請求項９記載の現金処理装置の制御方法。
【請求項１１】
複数のユニットからなり、操作表示部の入力操作により、各ユニット間で現金が移動する現金処理装置の操作表示方法において、
前記ユニットに対応した複数のアイコンを前記操作表示部に表示する工程と、
前記複数のアイコンのいずれか一を指定する第１指定入力を受付ける工程と、
当該第１指定入力に続いて他のアイコンを指定する第２指定入力を受付ける工程と、
前記第１指定入力で指定された前記アイコンに対応するユニットから前記第２指定入力で指定された前記他のアイコンに対応するユニットへ前記現金の移動を制御する工程を含むことを特徴とする現金処理装置の制御方法。
【請求項１２】
前記第１指定入力で指定された前記アイコンから前記第２指定入力で指定された前記他のアイコンへ向けて矢印を表示する工程を含むことを特徴とする請求項１１記載の現金処理装置の制御方法。
【請求項１３】
前記ユニット間を移動する前記現金のアイコンを表示する工程を含むことを特徴とする請求項１０又は１２記載の現金処理装置の制御方法。
【請求項１４】
前記ユニット間を移動する前記現金の内容を表示する工程を含むことを特徴とする請求項１３記載の現金処理装置の制御方法。
【請求項１５】
前記ユニット間を移動する前記現金の内容の入力画面を表示する工程を含むことを特徴とする請求項１３記載の現金処理装置の制御方法。
【請求項１６】
前記操作表示部はタッチパネル式入力装置であることを特徴とする請求項９乃至１５いずれか一に記載の現金処理装置の制御方法。
【発明の詳細な説明】
【技術分野】
【０００１】
本発明は、金融機関に設置され、オペレータが入出金等の取引操作を行なう現金処理装置に関するものである。
【背景技術】
【０００２】
銀行等の金融機関の営業店には、オペレータが顧客と接客して取引業務を行なう窓口の後方に処理能力の大きい出納機と称する大型の現金処理装置が設置されている。この現金処理装置は紙幣入出金機や施封小束支払機等を並べて配置した構造を持ち、オペレータの操作により各種の現金処理を行なう機能を有している。
【０００３】
即ち、当該現金処理装置は、操作表示部及びキーボード等を使った操作により、紙幣入出金機能、新券支払機能、紙幣補充回収機能、施封小束支払機能、現金外ポスト機能、硬貨入出金機能、棒金支払機能等の複数の機能を実現している。一般に、オペレータが行なう現金処理装置の操作において、オペレータは操作表示部に表示されたメニューボタンによって各種機能を選択するものであり、選択されたメニューボタンに応じた入力画面等が次に表示されるようになっている。
【特許文献１】特開２００５−１５７７５９号公報
【発明の開示】
【発明が解決しようとする課題】
【０００４】
しかしながら、従来の操作表示部のメニュー画面の表示は、各種機能が格子状に配列されているため見づらく、表示されているボタンから機能が分かりにくいという問題があった。また、メニューが階層化されているため、目的の機能のメニューボタンが探しにくいことがあるという問題があった。
【０００５】
本発明が解決しようとする課題は、オペレータにとって、機能を特定するのに直感的で探し易く、かつ分かり易いメニュー画面を得ることができ、これにより操作性に優れた現金処理装置を提供することにある。
【課題を解決するための手段】
【０００６】
上記課題を解決するために、特許請求の範囲の請求項１に係る発明は、複数のユニットからなり、操作表示部の入力操作により、各ユニット間で現金が移動する現金処理装置において、前記ユニットに対応した複数のアイコンを前記操作表示部に表示し、前記複数のアイコンのいずれか一を指定する指定入力と、当該指定入力により指定されたアイコンから他のアイコンへドラッグを行なうドラッグ入力により、前記指定されたアイコンに対応するユニットから前記他のアイコンに対応するユニットへ前記現金の移動を制御する制御部を有する現金処理装置である。
【０００７】
更に、前記制御部は前記指定されたアイコンから他のアイコンへ向けて矢印を表示するように制御する。更にまた、前記制御部はユニット間を移動する媒体のアイコンを表示するように制御する。
【発明の効果】
【０００８】
本発明によれば、オペレータによるアイコンへのタッチ入力と、ドラッグ入力という簡単な操作で現金処理装置の操作が可能になるので、オペレータへの負担が減少する。
【０００９】
更に、ドラッグ入力を行なったところに矢印と現金アイコンが表示されるので、実際の紙幣の移動の動きと、アイコン間の矢印がリンクして認識されるので、オペレータにとって非常に分かり易い表示となる。
【００１０】
また、オペレータにとって機能を特定するのに直感的で探し易く、かつ分かり易いメニュー画面を得ることができ、これにより操作性に優れた現金処理装置を提供することができる。
【発明を実施するための最良の形態】
【００１１】
（第１の実施の形態）
以下に本発明の第１の実施の形態について説明する。図２は現金処理装置１２の外観図である。まず同図において、紙幣入出金ユニット１は後述するように複数金種のうちバラの紙幣の入出金を行なう機能を有し、新券支払ユニット２は各金種の新券紙幣の出金を行なう機能を有している。また、補充回収ユニット３は営業店の自動化コーナーに設置される自動取引装置（ＡＴＭ）に対して紙幣の補充・回収を行なうために使用される一括収納庫への紙幣の装填、一括収納庫内に収納されている紙幣の自動計数を行って収納する機能を有しており、この補充回収ユニット３には前記紙幣入出金ユニット１からの紙幣を施封小束支払ユニット４へ搬送する搬送路（搬送手段）が設けられている。
【００１２】
施封小束支払ユニット４は、後述するように紙幣入出金ユニット１から１枚ずつ搬送されてくる紙幣を一定枚数毎に紙の帯で施封して小束にし、その小束紙幣を払出し口から放出する機能と、小束紙幣を小束収納庫に収納して入金する入金機能と、オペレータの要求により小束収納庫から小束紙幣を取出して出金口へ放出する出金機能を有している。棒金支払ユニット５は金種毎に一定枚数の硬貨を棒状に包んだ棒金を出金するもので、硬貨入出金ユニット９は、バラの硬貨の入出金を行なう機能を有している。
【００１３】
認証プリンタ７は、紙幣入出金ユニット１、新券支払ユニット２、補充回収ユニット３、施封小束支払ユニット４、棒金支払ユニット５、及び硬貨入出金ユニット９で入出金処理が行われた場合、その処理内容を認証して所定の帳票等に印字し、オペレータに排出するものである。
【００１４】
タッチパネル１０は現金の処理に必要な情報を表示し、オペレータの指タッチによる操作入力を受付ける操作表示手段であり、キーボード１１は現金の処理に必要な情報を入力する入力手段である。更に、制御部６は後述する記憶部１４に格納したプログラムに基づいて装置全体の制御を行なうものである。
【００１５】
次に、前記紙幣入出金ユニット１と施封小束支払ユニット４を例にユニット間の資金の移動について説明する。図３は紙幣入出金ユニット１の内部構成図である。当該紙幣入出金ユニット１は、紙幣投入口（入金口）２１と、紙幣投入口２１に投入された紙幣を１枚ずつ分離して取込む取込みローラや分離ローラ等の複数のローラからなる取込み手段２２と、取込まれた紙幣の真偽，金種，表裏，正損等を鑑別及び真券紙幣の計数等を行なう第１の鑑別部２３と、この第１の鑑別部２３で偽券（金種不明券）等と鑑別されたリジェクト紙幣を集積する返却口２４と、前記第１の鑑別部２３で真券と鑑別された紙幣の表裏を取揃える表裏反転部２５と、出金用の紙幣の金種別に収納する複数の紙幣収納庫２６を有する。
【００１６】
更に、当該紙幣入出金ユニット１は前記各紙幣収納庫２６に対応するようにその各々の上部に配置された一時保留部２７と、各紙幣収納庫２６の下部紙幣を繰出すように設けられた繰出しローラや分離ローラ等の複数のローラからなる繰出し手段２８と、前記紙幣収納庫２６から繰出された紙幣の真偽，金種，表裏，正損等を鑑別及び真券紙幣の計数等を行なう第２の鑑別部２９と、この第２の鑑別部２９で偽券（金種不明券）等と鑑別されたリジェクト紙幣を収納するリジェクト紙幣収納庫３０と、第２の鑑別部２９において真券でかつ正券と鑑別された紙幣を集積する出金口３１と、前記各構成要素間を結んで紙幣を搬送する搬送路３２ａ〜３２ｊと、搬送路３２ｊに接続されたツイスト搬送部３３等によって構成されている。このツイスト搬送部３３は紙幣の搬送方向を垂直縦方向として、その搬送方向を軸として紙幣を９０度回転させ、その後紙幣を水平方向に搬送することにより、隣接する補充回収ユニット３に送込むことができるようになっている。
【００１７】
この構成において、入金処理の場合、オペレータが紙幣投入口２１に紙幣Ｐを一括投入すると、その紙幣Ｐは取込み手段２２により１枚ずつ分離して取込まれ、搬送路３２ａにより第１の鑑別部２３に搬送されて真偽，金種，表裏，正損等を鑑別が行われる。
【００１８】
オペレータにより紙幣投入口２１に投入された真券の紙幣がすべて紙幣入出金ユニット１の一時保留部２７に集積されると、それらの紙幣の計数結果がタッチパネル１０に表示される。オペレータがキーボード１１を操作して取引承認の情報を入力すると、一時保留部２７に集積された紙幣は紙幣収納庫２６に収納される。
【００１９】
一方、出金処理の場合、オペレータがキーボード１１を操作して出金紙幣の金種毎の枚数（又は金額）を入力すると、繰出し手段２８により紙幣収納庫２６から紙幣が１枚ずつ繰出されて搬送路３２ｅにより第２の鑑別部２９に搬送され、真偽，金種，表裏，正損等を鑑別が行われる。
【００２０】
第２の鑑別部２９により真券でかつ出金に利用できる正券と鑑別された紙幣は、この第２の鑑別部２９で金種別に計数されてから搬送路３２ｆ、３２ｇ、３２ｈにより順次搬送されて出金口３１に集積され、そして、出金口３１にオペレータが指定した金種，枚数の紙幣が集積されると、この出金口３１のシャッタが開いて、紙幣がオペレータに出金される。
【００２１】
前記施封小束支払ユニット４への出金の場合、オペレータがキーボード１１を操作して出金紙幣の金種毎の枚数（又は金額）を入力すると、繰出し手段２８により紙幣収納庫２６から紙幣が１枚ずつ繰出されて搬送路３２ｅにより第２の鑑別部２９に搬送され、真偽，金種，表裏，正損等を鑑別が行われる。
【００２２】
第２の鑑別部２９により真券でかつ出金に利用できる正券と鑑別された紙幣は、この第２の鑑別部２９で金種別に計数されてから搬送路３２ｆ、３２ｊにより搬送され、このツイスト搬送部３３により９０度回転されてから、紙幣を水平方向に向きを変えて隣接する補充回収ユニット３に送込まれる。そして、補充回収ユニット３に送込まれた紙幣は、この補充回収ユニット３に設けられている搬送路により施封小束支払ユニット４へ搬送される。このようにして、オペレータが指定した金種，枚数の紙幣が施封小束支払ユニット４へ出金される。
【００２３】
図４は施封小束支払ユニット４の内部構成図である。この施封小束支払ユニット４は、上段ユニットＡと下段ユニットＢからなる。上段ユニットＡは前記紙幣入出金ユニット１のツイスト搬送部３３と同様のツイスト搬送部４１と、ツイスト搬送部４１から紙幣を搬送する搬送路４２と、複数の施封集積部４３と、搬送路４２により搬送されてきた紙幣を各施封集積部４３に分配する分配部４４と、一定枚数（例えば１００枚）の紙幣を紙の帯で施封して小束として送出す施封部４５と、各施封集積部４３に集積された一定枚数の紙幣を一括して取出して施封部４５に搬送する一括搬送部４６を備えている。
【００２４】
また、下段ユニットＢは施封部４５から送出される小束を受け取って上下方向に搬送するエレベータ部４７と、このエレベータ部４７により搬送される紙幣の小束を出金する出金口４８と、紙幣の小束を金種毎に収納する複数の小束収納庫４９と、これらの小束収納庫４９の配列方向に沿って移動してエレベータ部４７及び小束収納庫４９との間で紙幣の小束の授受を行なう小束ハンド・プッシャ５０と、オーバーフロー収納庫５１を備えている。
【００２５】
この構成において、前記紙幣入出金ユニット１からの紙幣を当該施封小束支払機４に入金する場合、前記のようにオペレータが入力した金種及び枚数（１００枚単位）に基づいて、紙幣入出金ユニット１の紙幣収納庫２６から繰出された紙幣が１枚ずつ搬送されてくると、その紙幣はツイスト搬送部４１で施封小束支払機４の前後方向に搬送できるように９０度回転された後、搬送路４２により搬送されて分配部４４により複数の施封集積部４３に金種別に振分けて集積される。
【００２６】
この金種別の振分け及び集積枚数の管理は、前記紙幣入出金ユニット１での金種鑑別結果及び計数結果に基づいて制御部６により制御される。施封集積部４３に一定枚数（例えば１００枚）の紙幣が集積されると、その紙幣は一括搬送部４６により一括して取出され、施封部４５に搬送される。この施封部４５で一定枚数の紙幣は紙の帯で施封され、小束紙幣としてエレベータ部４７に移される。
【００２７】
その後、エレベータ部４７は小束ハンド・プッシャ５０の位置まで下降して、紙幣の小束が小束ハンド・プッシャ５０へ渡され、そして小束ハンド・プッシャ５０が該当金種の小束収納庫４９まで移動して、その小束収納庫４９に小束紙幣を収納する。
【００２８】
図５は第１の実施の形態に関わる現金処理装置のブロック図である。前述の通り制御部６は、硬貨入出金ユニット９と、紙幣入出金ユニット１と、施封小束支払ユニット４と、棒金支払ユニット５と、新券支払ユニット２と、補充回収ユニット３を制御するためにユニットインターフェース１３を介してこれらと接続されている。更に、記憶部１４は前述のように各種プログラムが格納されている他、各種データが記憶されている。更に、前記タッチパネル１０と、キーボード１１及び認証プリンタ７が制御部６に接続されている。
【００２９】
図６はタッチパネル１０に表示される初期画面の説明図である。１５は顧客（ここでは操作するオペレータ）を意味する顧客アイコン、１６は現金処理装置１２としての出納機を意味する出納機アイコン、１７は金庫を意味する金庫アイコン、１８はその他機器を意味するその他機器アイコン、１９は手許、即ち銀行内の現金管理者の管理下にある金額を意味する手許アイコンである。なお、前記顧客アイコン１５は単に顧客を意味するだけでなく、顧客が現金を投入する紙幣或いは硬貨投入口をユニットと考え、これを含んだものであってもよい。この初期画面に対して、後述するように、オペレータはタッチパネル１０上のアイコンを指でタッチしたり、ドラッグすることにより入力を行なう。
【００３０】
以下図面に従って入金動作について説明する。図１及び図７〜図９は入金時の操作画面を示す説明図であり、図１０は入金時のフローチャートである。まず、制御部６はタッチパネル１０を制御して図６に示す初期画面を表示する（Ｓ１０１）。オペレータはタッチパネル１０の顧客アイコン１５にタッチすると、制御部６はこれを検出する（Ｓ１０２）。
【００３１】
オペレータは現金を出納機に入金するために、顧客アイコン１５から出納機アイコン１６へドラッグすると、制御部６は顧客アイコン１５から出納機アイコン１６へドラッグ入力があったことを検出する（Ｓ１０３）。
【００３２】
制御部６はこれを検出すると、タッチパネル１０を制御して、図１に示すように顧客アイコン１５から出納機アイコン１６への矢印６０と、現金を意味する現金アイコン６１を表示する（Ｓ１０４）。
【００３３】
オペレータはこの表示を確認すると、次に現金アイコン６１に２回連続してタッチを行なうと同時に、前記紙幣入出金ユニット１の紙幣投入口（入金口）２１に紙幣をセットする。制御部６は、現金アイコン６１への２回連続タッチを検出すると（Ｓ１０５）、内訳６２を表示する（Ｓ１０６）。更に紙幣入出金ユニット１を制御して、紙幣投入口（入金口）２１にセットしてある紙幣を繰出し、紙幣の計数を行なう（Ｓ１０７）。紙幣の計数が終了すると、制御部６はタッチパネル１０を制御して、図８に示すように内訳６２を更新して表示する（Ｓ１０８）。図８に示す例は紙幣計数の結果、一万円札が５０枚、合計５００，０００円であることを示す。
【００３４】
オペレータはこれが正しければ確認キー６２−１をタッチするか、キーボード１１の図示しない確認キーを押下する。また、誤りであれば、戻るキー６２−２をタッチするかキーボード１１の図示しない戻るキーを押下して計数をやり直す。
【００３５】
制御部６は確認キー６２−１のタッチ入力を検出すると（Ｓ１０９）、前記紙幣入出金ユニット１を制御して、現金収納動作を行ない（Ｓ１１０）、カウンタを更新する（Ｓ１１１）。最後にタッチパネル１０を制御して、図１に示す初期画面を表示する（Ｓ１１２）。
【００３６】
前記の例は、オペレータが現金を出納機に入金する場合であるが、当該現金を手許にも入金する場合がある。この場合はステップ１０３に続いて、図７に示すように、オペレータは顧客アイコン１５から手許アイコン１９へドラッグ入力すると、制御部６は顧客アイコン１５から手許アイコン１９へドラッグ入力があったことを検出する。
【００３７】
制御部６はこれを検出すると、タッチパネル１０を制御して、図７に示すように顧客アイコン１５から手許アイコン１９への矢印８０と、現金を意味する現金アイコン８１を表示する。
【００３８】
オペレータはこの表示を確認すると、次に現金アイコン８１に２回連続してタッチを行なう。制御部６は、現金アイコン８１への２回連続タッチを検出すると、タッチパネル１０を制御して、図９に示すように内訳６３を表示する。オペレータはこの内訳６３の表示を見ながら、キーボード１１から図示しない数字キーや、ＴＡＢキーや、ＥＮＴＥＲキー等を使って入力を行なう。図９に示す例は、キーボード１１からの入力の結果、１万円札が１０枚、合計１００，０００円であることを示す。
【００３９】
オペレータはこれが正しければ確認キー６３−１をタッチするか、キーボード１１の図示しない確認キーを押下する。また、誤りであれば、戻るキー６３−２をタッチするかキーボード１１の図示しない戻るキーを押下して入力操作をやり直す。
【００４０】
以上は入金処理のうち、出納機への入金と、手許への入金の例であるが、前記の表示において、顧客アイコン１５をその他機器アイコン１８に置き換えて操作すると、その他機器アイコン１８から出納機アイコン１６又は手許アイコン１９へ矢印６０又は８０が表示され、「回金入金」を行なうことができる。
【００４１】
次に出金動作について説明する。図１１〜図１３は出金時の操作画面を示す説明図であり、図１４は出金時のフローチャートである。まず入金時と同様、制御部６はタッチパネル１０を制御して図６の初期画面を表示する（Ｓ２０１）。オペレータはタッチパネル１０の出納機アイコン１６にタッチすると、制御部６はこれを検出する（Ｓ２０２）。
【００４２】
オペレータは現金処理装置１２の現金を出金するために、出納機アイコン１６から顧客アイコン１５へドラッグすると、制御部６は出納機アイコン１６から顧客アイコン１５へのドラッグ入力があったことを検出する（Ｓ２０３）。
【００４３】
制御部６はこれを検出すると、タッチパネル１０を制御して、図１１に示すように出納機アイコン１６から顧客アイコン１５への矢印６０と、現金を意味する現金アイコン６１を表示する（Ｓ２０４）。
【００４４】
オペレータはこの表示を確認すると、次に現金アイコン６１に２回連続してタッチを行なう。制御部６は、現金アイコン６１への２回連続タッチを検出すると（Ｓ２０５）、タッチパネル１０を制御して、図１３に示すように内訳６３を表示し、オペレータに金額入力を促す（Ｓ２０６）。オペレータはこの内訳６３の表示を見ながら、キーボード１１から入力を行なう。制御部６はキーボード入力を検出すると（Ｓ２０７）、内訳６３の表示を更新する（Ｓ２０８）。図１３はキーボード１１からの入力の結果１万円札が２０枚、合計２００，０００円であることを示す。
【００４５】
オペレータはこれが正しければ確認キー６３−１をタッチするか、キーボード１０の確認キーを押下する。また、誤りであれば、戻るキー６３−２をタッチするかキーボード１０の戻るキーを押下して入力操作をやり直す。
【００４６】
制御部６は確認キー６３−１のタッチ入力を検出すると（Ｓ２０９）、前記紙幣入出金ユニット１を制御して、現金放出動作を行ない（Ｓ２１０）、カウンタを更新する（Ｓ２１１）。最後にタッチパネル１０を制御して、図１に示す初期画面を表示する（Ｓ１１２）。
【００４７】
前記の例は、オペレータが出納機の現金を顧客へ出金する場合であるが、当該現金を手許からも出金する場合がある。この場合はステップ２０２において、図１２に示すように、オペレータは手許アイコン１９から顧客アイコン１５へドラッグ入力すると、制御部６は手許アイコン１９から顧客アイコン１５へドラッグ入力があったことを検出する。
【００４８】
制御部６はこれを検出すると、タッチパネル１０を制御して、図１２に示すように手許アイコン１９から顧客アイコン１５への矢印８０と、現金を意味する現金アイコン８１を表示する。
【００４９】
オペレータはこの表示を確認すると、次に現金アイコン８１に２回連続してタッチを行なう。制御部６は、現金アイコン８１への２回連続タッチを検出すると、タッチパネル１０を制御して、図１３に示すように内訳６３を表示する。オペレータはこの内訳６３の表示を見ながら、キーボード１１から図示しない数字キーや、ＴＡＢキーや、ＥＮＴＥＲキー等を使って入力を行なう。
【００５０】
オペレータはこれが正しければ確認キー６３−１をタッチするか、キーボード１０の確認キーを押下する。また、誤りであれば、戻るキー６３−２をタッチするかキーボード１０の戻るキーを押下して入力操作をやり直す。
【００５１】
以上は出金処理のうち、出納機からの出金と、手許からの出金の例であるが、前記の表示において、顧客アイコン１５をその他機器アイコン１８に置き換えて操作すると、出納機アイコン１６又は手許アイコン１９からその他機器アイコン１８に矢印６０又は８０が表示され、「回金出金」を行なうことができる。
【００５２】
また、前記入金処理のステップ１０１からステップ１１１の後に続けて出金処理のステップ２０２からステップ２１１を行なった後、取引を確定すると「両替」取引を行なうことができる。
【００５３】
（第２の実施の形態）
次に、第２の実施の形態について、前記図３及び図４で示した紙幣入出金ユニット１及び施封小束支払ユニット４を使ったユニット間の資金移動の操作について説明する。図１５〜図１７ユニット間資金移動の操作画面を示す説明図であり、図１８はユニット間資金移動時のフローチャートである。まず前記と同様、制御部６はタッチパネル１０を制御して図６の初期画面を表示する（Ｓ３０１）。オペレータはタッチパネル１０の出納機アイコン１６に２回連続してタッチすると、制御部６はこれを検出する（Ｓ３０２）。
【００５４】
制御部６はこれを検出すると、タッチパネル１０を制御して出納機画面６４を表示し、当該出納機画面６４の中に出納機内の各ユニットを意味するユニットアイコンを表示させる（Ｓ３０３）。即ち、図１５に示すように、棒金支払ユニットアイコン６５と、施封小束支払ユニットアイコン６６と、紙幣入出金ユニットアイコン６７と、硬貨入出金ユニットアイコン６８である。
【００５５】
オペレータはこれを見て、例えば紙幣入出金ユニットアイコン６７をタッチし、当該紙幣入出金ユニットアイコン６７から施封小束支払ユニットアイコン６６へドラッグ入力する。制御部６はこれを検出すると（Ｓ３０４，Ｓ３０５）、タッチパネル１０を制御し、図１６に示すように、紙幣入出金ユニットアイコン６７から施封小束支払ユニットアイコン６６への矢印６９の表示及び現金アイコン７０の表示を行なう（Ｓ３０６）。
【００５６】
なお、仮にオペレータが誤って現実的には不可能な資金の移動を指示した場合、例えば、紙幣入出金ユニットアイコン６７から棒金支払ユニットアイコン６５へドラッグがあった場合、制御部６はこれを検出すると、図示しないブザーを制御し、警告音を発生する。
【００５７】
オペレータはこれを見て、現金アイコン７０に対し２回連続してタッチを行なう。制御部６は、オペレータによる現金アイコン７０への２回連続したタッチを検出すると（Ｓ３０７）、タッチパネル１０を制御して内訳７１を表示し、オペレータに対し金額入力を促す（Ｓ３０８）。オペレータが金額入力を行なうと、制御部６はこれを検出し（Ｓ３０９）、内訳表示７１を更新する（Ｓ３１０）。図１７に示す例は、１万円札１００枚、千円札１００枚、合計１，１００，０００円であることを示す。
【００５８】
オペレータはこれを確認し、正しければ確認キー７１−１をタッチするか、キーボード１１の図示しない確認キーを押下する。また、誤りであれば、戻るキー７１−２をタッチするかキーボード１１の図示しない戻るキーを押下して入力操作をやり直す。
【００５９】
制御部６は確認キー７１−１のタッチ入力を検出すると（Ｓ３１１）、前記紙幣入出金ユニット１と前記施封小束支払ユニット４を制御して、資金の移動動作を行ない（Ｓ３１２）、カウンタを更新する（Ｓ３１３）。最後にタッチパネル１０を制御して、図１に示す初期画面を表示する（Ｓ３１４）。
【００６０】
（第３の実施の形態）
次に第３の実施の形態について説明する。図１９は第３の実施の形態に関わる操作画面を示す説明図である。前記第１の実施の形態において説明した図６に示した初期画面に対し、更に３つのアイコンを追加したものである。即ち、日銀アイコン７１、支払準備用容器アイコン７２、渉外アイコン７３である。
【００６１】
前記第１の実施の形態における入金時の操作の説明において、顧客アイコン１５を日銀アイコン７１に置換えれば、即ち、日銀アイコン７１から出納機アイコン１６へのドラッグ入力により、日銀アイコン７１から出納機アイコン１６への矢印６０と現金アイコン６１が表示されるので、「現受」の取引となる。
【００６２】
顧客アイコン１５を支払準備用容器アイコン７２に置換えれば、即ち、支払準備用容器アイコン７２から出納機アイコン１６へのドラッグ入力により、支払準備用容器アイコン７２から出納機アイコン１６への矢印６０と現金アイコン６１が表示されるので、「支払準備金の戻入」の取引となる。
【００６３】
更に、顧客アイコン１５を渉外アイコン７３に置換えれば、渉外アイコン７３から出納機アイコン１６へのドラッグ入力により、渉外アイコン７３から出納機アイコン１６への矢印６０と現金アイコン６１が表示されるので、「仮払戻入」の取引となる。
【００６４】
また、前記第１の実施の形態における出金時の操作の説明において、顧客アイコン１５を日銀アイコン７１に置換えれば、即ち、出納機アイコン１６から日銀アイコン７１へのドラッグ入力により、出納機アイコン１６から日銀アイコン７１への矢印６０と現金アイコン６１が表示されるので、「現送」の取引となる。
【００６５】
顧客アイコン１５を支払準備用容器アイコン７２に置換えれば、出納機アイコン１６から支払準備用容器アイコン７２へのドラッグ入力により、出納機アイコン１６から支払準備用容器アイコン７２への矢印６０と現金アイコン６１が表示されるので、「支払準備金の準備」の取引となる。
【００６６】
更に、顧客アイコン１５を渉外アイコン７３に置換えれば、出納機アイコン１６から渉外アイコン７３へのドラッグ入力により、出納機アイコン１６から渉外アイコン７３への矢印６０と現金アイコン６１が表示されるので、「仮払」の取引となる。
【００６７】
更に、前記第１の実施の形態における出金時の操作の説明と同様に、支払準備用容器アイコン７２から顧客アイコン１５へドラッグ入力により出金操作を行なえば、支払準備用容器アイコン７２から顧客アイコン１５への矢印６０と現金アイコン６１が表示されるので、「支払準備金の支払」の取引となる。
【００６８】
同様に、渉外アイコン７３から顧客アイコン１５へドラッグ入力により出金操作を行なえば、渉外アイコン７３から顧客アイコン１５への矢印６０と現金アイコン６１が表示されるので、「仮払出金」の取引となる。
【００６９】
以上のように、第３の実施の形態によれば、現金処理装置を使った種々の金融機関業務において、アイコンの指定入力とドラッグ入力により、簡単な操作が可能になるので、オペレータへの負担が減少する。また、ドラッグ入力を行なったところに矢印と現金アイコンが表示されるので、実際の紙幣の移動の動きと、アイコン間の矢印がリンクして認識されるので、オペレータにとって非常に分かり易い表示となる。
【００７０】
前記発明を実施するための最良の形態での説明は、各種の現金処理を行なう現金処理装置を例に説明したが、本発明はこれに限定されるものではなく、一般の情報処理を行なう情報処理装置を含むものであり、本発明はユーザインターフェースの新しい方式となる。現金取引装置はもとより、駅の発券機、行政機関の証明書発行機、オフィスの汎用コピー機等、利用者が操作をする機器全般に採用することができる。
【００７１】
即ち、情報処理装置内部は、複数の機能を有する機能部からなり、各機能部はある種の情報を管理している。それら機能部は、操作画面においてアイコンにより表示可能であり、ドラッグ入力機能を使うことにより、媒体の挿入口や排出口を含む各機能部の間で表示上の管理が移動するように使用することは可能である。特に、コピー機では、ステープラーの有無や排出口の選択指定等にも応用可能である。
【００７２】
よって、本発明を適用すれば、アイコンの指定入力とドラッグ入力により、簡単な操作が可能になるので、オペレータへの負担が減少する。また、ドラッグ入力を行なったところに矢印と移動した情報のアイコンが表示されるので、装置内部の移動の動きと、アイコン間の矢印がリンクして認識されるので、オペレータにとって非常に分かり易い表示となる。
【図面の簡単な説明】
【００７３】
【図１】入金時の操作画面を示す説明図である。
【図２】現金処理装置の外観図である。
【図３】紙幣入出金ユニットの内部構成図である。
【図４】施封小束支払ユニットの内部構成図である。
【図５】第１の実施の形態に関わる現金処理装置のブロック図である。
【図６】初期画面を示す説明図である。
【図７】入金時の操作画面を示す説明図である。
【図８】入金時の操作画面を示す説明図である。
【図９】入金時の操作画面を示す説明図である。
【図１０】入金時の動作を示すフローチャートである。
【図１１】出金時の操作画面を示す説明図である。
【図１２】出金時の操作画面を示す説明図である。
【図１３】出金時の操作画面を示す説明図である。
【図１４】出金時の動作を示すフローチャートである。
【図１５】ユニット間資金移動の操作画面を示す説明図である。
【図１６】ユニット間資金移動の操作画面を示す説明図である。
【図１７】ユニット間資金移動の操作画面を示す説明図である。
【図１８】ユニット間資金移動の動作を示すフローチャートである。
【図１９】第３の実施の形態に関わる操作画面を示す説明図である。
【符号の説明】
【００７４】
１    紙幣入出金ユニット
４    施封小束支払ユニット
１０  タッチパネル
１２  現金処理装置
１５  顧客アイコン
１６  出納機アイコン
７０  現金アイコン
【図１】
0005175110.tif 000002
【図２】
0005175110.tif 000003
【図３】
0005175110.tif 000004
【図４】
0005175110.tif 000005
【図５】
0005175110.tif 000006
【図６】
0005175110.tif 000007
【図７】
0005175110.tif 000008
【図８】
0005175110.tif 000009
【図９】
0005175110.tif 000010
【図１０】
0005175110.tif 000011
【図１１】
0005175110.tif 000012
【図１２】
0005175110.tif 000013
【図１３】
0005175110.tif 000014
【図１４】
0005175110.tif 000015
【図１５】
0005175110.tif 000016
【図１６】
0005175110.tif 000017
【図１７】
0005175110.tif 000018
【図１８】
0005175110.tif 000019
【図１９】
0005175110.tif 000020